(57)【要約】【課題】フィット性及び漏れ防止性に優れた吸収性物品を提供すること。【解決手段】後方部Ｒにおける表面シート２側に形成された圧搾溝対７を構成する一方の圧搾溝７０と他方の圧搾溝７０とは、吸収性物品１Ａの縦中心線Ａを基準として対称に形成され且つ横方向において互いに離間している。圧搾溝７０は、平面視において縦方向Ｘの後方に向かって凸に湾曲する凸形状を有し、該凸の頂部を形成する曲線部７１と内側線分７２と外側線分と７３を含んで構成され、両線分７２，７３は、それぞれが連結される曲線部７１の端部における接線に沿って延びている。一方の内側線分７２と他方の内側線分７２との間隔Ｓ１が縦方向Ｘの前方に向かって漸次減少していると共に、一方の外側線分７３と他方の外側線分７３との間隔Ｓ２が縦方向Ｘの前方に向かって漸次増加している。圧搾溝７０において、外側線分７３側の縦方向長さは内側線分７２側の縦方向長さに比して短い。【選択図】図１
2015167773.tif 000002
【特許請求の範囲】
【請求項１】
表面シート、裏面シート、及び両シート間に介在された吸収体を具備し、着用者の液排泄部に対向配置される排泄部対向部と、該排泄部対向部よりも着用者の背側に配される後方部とを有すると共に、着用者の腹側から該排泄部対向部を介して背側に延びる縦方向とこれに直交する横方向とを有する吸収性物品において、
前記後方部における前記表面シート側に、該表面シート及び前記吸収体が前記裏面シート側に向かって一体的に凹陥してなる圧搾溝が一対形成されており、その圧搾溝対を構成する一方の圧搾溝と他方の圧搾溝とは、前記吸収性物品を横方向に二分して縦方向に延びる縦中心線を基準として対称に形成され且つ横方向において互いに離間しており、
前記圧搾溝は、平面視において縦方向後方に向かって凸に湾曲する凸形状を有し、該凸の頂部を形成する曲線部と、該曲線部の内側端部に連結された内側線分と、該曲線部の外側端部に連結された外側線分とを含んで構成され、該内側線分及び該外側線分は、それぞれが連結される該曲線部の端部における接線に沿って延びており、
前記圧搾溝対において、一方の前記圧搾溝の前記内側線分と他方の前記圧搾溝の前記内側線分との間隔が縦方向前方に向かって漸次減少していると共に、一方の前記圧搾溝の前記外側線分と他方の前記圧搾溝の前記外側線分との間隔が縦方向前方に向かって漸次増加しており、
前記圧搾溝における前記外側線分の自由端部と前記凸の頂部との間の縦方向長さは、該圧搾溝における前記内側線分の自由端部と該凸の頂部との間の縦方向長さに比して長い吸収性物品。
【請求項２】
前記圧搾溝の前記内側線分の延長線は前記縦中心線と平行であるか、又は、前記圧搾溝の前記内側線分の延長線と前記縦中心線とのなす角度が０°超４５°以下である請求項１に記載の吸収性物品。
【請求項３】
前記圧搾溝は、凹陥深さが相対的に深い深凹陥部と、凹陥していないか又は凹陥深さが相対的に浅い非又は浅凹陥部とが交互に配置されて形成されている請求項１又は２に記載の吸収性物品。
【請求項４】
複数の前記圧搾溝対が縦方向に所定間隔を置いて形成されており、縦方向に隣接する二対の前記圧搾溝対のうちの一方の対と他方の対とで、前記圧搾溝における前記外側線分の自由端部と前記凸の頂部との間の縦方向長さ、及び／又は、前記圧搾溝における前記内側線分の自由端部と前記凸の頂部との間の縦方向長さが互いに等しくない請求項１〜３のいずれか一項に記載の吸収性物品。
【発明の詳細な説明】
【技術分野】
【０００１】
本発明は、生理用ナプキン、パンティーライナー（おりものシート）等の吸収性物品に関する。
【背景技術】
【０００２】
従来、生理用ナプキン等の吸収性物品に関し、フィット性及び漏れ防止性を向上させるべく、いろいろな提案がなされている。例えば特許文献１には、装着中の身体へのフィット性を向上させる目的で、生理用ナプキンの長手方向（縦方向）の後方端部の肌対向面に圧縮溝を設けることが提案されている。この後方圧縮溝は、ナプキンの幅方向（横方向）に延び、互いに離間する一対の横圧縮溝部を有し、該一対の横圧縮溝部は、ナプキンを幅方向に二分し長手方向に延びる縦中心線を対称軸として略線対称に形成される。特許文献１記載の生理用ナプキンは、装着後の身体の動きなどによってよれにくくなっているが、例えば特許文献１記載の第１ないし第３実施形態（特許文献１の図１、図３及び図４参照）は、前記後方圧縮溝の存する後方部における、ナプキン（吸収体）の縦方向に沿う側縁の近傍に、縦方向に沿って延びる圧縮溝が形成されていないため、漏れ防止性に劣ると考えられる。また、特許文献１記載の第４ないし第５実施形態（特許文献１の図５及び図６参照）は、ナプキンが縦中心線に一致する軸に沿って変形しにくいといった問題があり、身体へのフィット性が低下している。
【０００３】
また特許文献２には、特許文献１記載発明と同様の目的で、生理用ナプキンの長手方向中央部から後方部にかけての肌対向面に、長手方向に延びる一対の立体溝を設けることが提案されている。この一対の立体溝は、それぞれ、後方部の端縁に近づくに従い該後方部の側縁に近接するように形成されており、該一対の立体溝の一方と他方との間隔が、該後方部の端縁に近づくに従って漸次大きくなっている。特許文献２記載の生理用ナプキンは、装着時には体の形状に沿って変形し、フィット性には優れるが、装着後の身体の動きに対する追従性、延いては漏れ防止性の点で改良の余地があった。
【先行技術文献】
【特許文献】
【０００４】
【特許文献１】特開２００９−７７９２７号公報
【特許文献２】特開平１０−２０１７８８号公報
【発明の概要】
【発明が解決しようとする課題】
【０００５】
本発明は、フィット性及び漏れ防止性に優れた吸収性物品に関する。
【課題を解決するための手段】
【０００６】
本発明は、表面シート、裏面シート、及び両シート間に介在された吸収体を具備し、着用者の液排泄部に対向配置される排泄部対向部と、該排泄部対向部よりも着用者の背側に配される後方部とを有すると共に、着用者の腹側から該排泄部対向部を介して背側に延びる縦方向とこれに直交する横方向とを有する吸収性物品において、前記後方部における前記表面シート側に、該表面シート及び前記吸収体が前記裏面シート側に向かって一体的に凹陥してなる圧搾溝が一対形成されており、その圧搾溝対を構成する一方の圧搾溝と他方の圧搾溝とは、前記吸収性物品を横方向に二分して縦方向に延びる縦中心線を基準として対称に形成され且つ横方向において互いに離間しており、前記圧搾溝は、平面視において縦方向後方に向かって凸に湾曲する凸形状を有し、該凸の頂部を形成する曲線部と、該曲線部の内側端部に連結された内側線分と、該曲線部の外側端部に連結された外側線分とを含んで構成され、該内側線分及び該外側線分は、それぞれが連結される該曲線部の端部における接線に沿って延びており、前記圧搾溝対において、一方の前記圧搾溝の前記内側線分と他方の前記圧搾溝の前記内側線分との間隔が縦方向前方に向かって漸次減少していると共に、一方の前記圧搾溝の前記外側線分と他方の前記圧搾溝の前記外側線分との間隔が縦方向前方に向かって漸次増加しており、前記圧搾溝における前記外側線分の自由端部と前記凸の頂部との間の縦方向長さは、該圧搾溝における前記内側線分の自由端部と該凸の頂部との間の縦方向長さに比して長い吸収性物品である。
【発明の効果】
【０００７】
本発明によれば、フィット性及び漏れ防止性に優れた吸収性物品が提供される。
【図面の簡単な説明】
【０００８】
【図１】図１は、本発明の吸収性物品の第１実施形態である生理用ナプキンの肌対向面側（表面シート側）を模式的に示す平面図である。
【図２】図２は、図１のＩ−Ｉ線断面を模式的に示す断面図である。
【図３】図３は、図１に示す生理用ナプキンにおける圧搾溝を拡大して模式的に示す拡大平面図である。
【図４】図４は、本発明の吸収性物品の第２実施形態である生理用ナプキンの肌対向面側（表面シート側）を模式的に示す平面図である。
【図５】図５は、本発明の吸収性物品の第３実施形態である生理用ナプキンの肌対向面側（表面シート側）を模式的に示す平面図である。
【図６】図６は、本発明の吸収性物品の第４実施形態である生理用ナプキンの肌対向面側（表面シート側）を模式的に示す平面図である。
【図７】図７は、本発明の吸収性物品の第５実施形態である生理用ナプキンの肌対向面側（表面シート側）を模式的に示す平面図である。
【図８】図８は、本発明の吸収性物品の第６実施形態である生理用ナプキンの肌対向面側（表面シート側）を模式的に示す平面図である。
【発明を実施するための形態】
【０００９】
以下、本発明の吸収性物品について、その好ましい一実施形態である生理用ナプキン（以下、ナプキンとも言う）を例にとり、図面を参照しながら説明する。図１及び図２には、本発明の生理用ナプキンの第１実施形態であるナプキン１Ａが示されている。ナプキン１Ａは、肌対向面を形成する液透過性の表面シート２、非肌対向面を形成する液不透過性又は液難透過性の裏面シート３、及び両シート２，３間に介在された吸収体４を具備する吸収性本体５を備え、縦長状に形成されている。
【００１０】
本明細書において、肌対向面は、ナプキン及びその構成部材（例えば表面シート２）における、着用状態において着用者の肌側に向けられる面（相対的に着用者の肌に近い側）であり、非肌対向面は、ナプキン及びその構成部材における、着用状態において着用者の肌側とは反対側に向けられる面（相対的に着用者の肌から遠い側）である。
【００１１】
ナプキン１Ａ（吸収性本体５）は、着用時に着用者の液排泄部（膣口等）に対向配置される排泄部対向部Ｃと、着用時に排泄部対向部Ｃよりも着用者の腹側（前側）に配される前方部Ｆと、着用時に排泄部対向部Ｃよりも着用者の背側（後側）に配される後方部Ｒとを有している。また、ナプキン１Ａ（吸収性本体５）は、着用時に着用者の前後方向に相当する縦方向Ｘとこれに直交する横方向Ｙとを有している。ナプキン１Ａ（吸収性本体５）の縦方向Ｘは、着用者の腹側（前方部Ｆ）から排泄部対向部Ｃを介して背側（後方部Ｒ）に延びる方向である。本明細書中でいうナプキンの「前」（前方）は、ナプキンの着用者の前（腹側）に対応し、ナプキンの「後」（後方）は、ナプキンの着用者の後（背側）に対応する。また、ここでいう「着用時」あるいは「装着時」は、通常の適正な着用位置（当該吸収性物品の正しい着用位置）が維持された状態を意味し、吸収性物品が該着用位置からずれた状態にある場合は含まない。
【００１２】
表面シート２及び裏面シート３は、それぞれ、吸収体４よりも大きな寸法を有し、吸収体４の周縁から外方に延出し、それらの延出部において、接着剤、ヒートシール、超音波シール等の公知の接合手段によって互いに接合されて周縁シール部を形成している。表面シート２は、吸収体４の肌対向面の全域を覆うように配置され、裏面シート３は、吸収体４の非肌対向面の全域を覆うように配置されており、表面シート２及び裏面シート３と吸収体４との間がそれぞれホットメルト型接着剤によって接合されて、吸収性本体５が構成されている。吸収体４は、前方部Ｆから後方部Ｒに亘って延在しており、平面視して縦方向Ｘに長く、角が丸みを帯びた矩形形状を有している。
【００１３】
ナプキン１Ａは、吸収性本体５に加えて更に、吸収性本体５における排泄部対向部Ｃの縦方向Ｘに沿う両側部それぞれから横方向Ｙの外方に延出する一対のウイング部６，６を有している。即ち、図１に示すように、表面シート２及び裏面シート３が、吸収体４の縦方向Ｘに沿う両側縁から横方向Ｙの外方に延出してサイドフラップ部を形成し、このサイドフラップ部が、排泄部対向部Ｃにおいて横方向Ｙの外方に向かって大きく張り出しており、これにより吸収性本体５の縦方向Ｘに沿う左右両側に、一対のウイング部６，６が延設されている。ウイング部６，６は、非肌対向面側に粘着材等の固定手段（図示せず）を備えており、着用時に折り返されて、ショーツ等の着衣の外面に固定されるものである。また、吸収性本体５の非肌対向面（裏面シート３の非肌対向面）にも、吸収性本体５をショーツ等の着衣の内面に固定する粘着材等の固定手段（図示せず）が配置されている。これらの固定手段は、その使用前においてはフィルム、不織布、紙等からなる剥離シート（図示せず）によって被覆されている。
【００１４】
尚、本発明の吸収性物品において、排泄部対向部は、本実施形態のナプキン１Ａのようにウイング部を有する場合には、吸収性物品の縦方向（吸収性物品の長手方向、図中のＸ方向）においてウイング部を有する領域（ウイング部の縦方向一方側の付け根と他方側の付け根とに挟まれた領域）である。ウイング部を有しない吸収性物品における排泄対向部は、吸収性物品が個装形態に折り畳まれた際に生じる、該吸収性物品を横方向（吸収性物品の幅方向、図中のＹ方向）に横断する２本の折曲線（図示せず）について、該吸収性物品の縦方向の前端から数えて第１折曲線と第２折曲線とに囲まれた領域である。
【００１５】
図１に示すように、後方部Ｒにおける表面シート２側には、表面シート２及び吸収体４が裏面シート３側に向かって一体的に凹陥してなる圧搾溝７０が一対形成されており、一対の圧搾溝７０，７０からなる圧搾溝対７が形成されている。圧搾溝対７を構成する一方の圧搾溝７０と他方の圧搾溝７０とは、ナプキン１Ａ（吸収性本体５）を横方向Ｙに二分して縦方向Ｘに延びる仮想線である縦中心線Ａを基準として対称に形成され且つ横方向Ｙにおいて互いに離間している。一方の圧搾溝７０と他方の圧搾溝７０とに挟まれた領域には、圧搾溝（表面シート及び吸収体が裏面シート側に向かって一体的に凹陥してなる溝）は形成されておらず、該領域は加圧されていない非加圧領域となっている。
【００１６】
圧搾溝７０は、熱を伴うか又は伴わない圧搾加工、あるいは超音波エンボス等のエンボス加工により常法に従って形成することができる。圧搾溝７０においては、表面シート２及び吸収体４が熱融着等により一体化している。ナプキン１Ａにおいては、圧搾溝７０の凹陥深さ（表面シートにおける凹陥していない肌対向面からの深さ）は、その長さ方向の全長に亘って一定となっている。圧搾溝７０の凹陥深さは、この種の吸収性物品における防漏溝の凹陥深さと同様の範囲に設定することができ、通常１〜１０ｍｍ程度である。
【００１７】
図３には、ナプキン１Ａの圧搾溝対７を構成する一対の圧搾溝７０，７０のうちの一方が拡大して示されている。圧搾溝７０は、図１に示す如き平面視において縦方向Ｘの後方に向かって凸に湾曲する凸形状を有し、その凸の頂部を形成する曲線部７１と、該曲線部７１の内側端部に連結された内側線分７２と、該曲線部７１の外側端部に連結された外側線分７３とを含んで構成されている。内側線分７２及び外側線分７３は、それぞれ、該両線分が連結する曲線部７１の端部における接線（図示せず）に沿って延びており、平面視直線状である。図３中、符号７１ａは、内側線分７２が連結する曲線部７１の内側端部を示し、符号７１ｂは、外側線分７３が連結する曲線部７１の外側端部を示す。尚、図３において符号７１ａ，７１ｂで示した直線（圧搾溝７０の長さ方向と直交する方向に延びる線分）は、これらが示す曲線部７１の端部の位置を明確にするために記載した仮想線であり、ナプキン１Ａに斯かる直線が存在している訳ではない。
【００１８】
圧搾溝対７においては、図１に示すように、一方の圧搾溝７０の内側線分７２と他方の圧搾溝７０の内側線分７２との間隔Ｓ１が縦方向Ｘの前方に向かって漸次減少していると共に、一方の圧搾溝７０の外側線分７３と他方の圧搾溝７０の外側線分７３との間隔Ｓ２が縦方向Ｘの前方に向かって漸次増加している。即ち、間隔Ｓ１を画成する圧搾溝７０の内側線分７２は、曲線部７１の内側端部７１ａから該端部７１ａにおける接線に沿って横方向Ｙの内方且つ縦方向Ｘの前方に向かって斜めに延びており、また、間隔Ｓ２を画成する圧搾溝７０の外側線分７３は、曲線部７１の外側端部７１ｂから該端部７１ｂにおける接線に沿って横方向Ｙの外方且つ縦方向Ｘの前方に向かって斜めに延びている。
【００１９】
図３に示すように、圧搾溝７０における外側線分７３の自由端部７３ｆと曲線部７１の凸の頂部７１ｔとの間の縦方向長さＨは、該圧搾溝７０における内側線分７２の自由端部７２ｆと該凸の頂部７１ｔとの間の縦方向長さｈに比して長くなされている（Ｈ＞ｈ）。即ち、圧搾溝対７を構成する２個の圧搾溝７０，７０それぞれにおいては、外側線分７３の自由端部７３ｆが内側線分７２の自由端部７２ｆよりも縦方向Ｘにおいて前方側に位置している。尚、曲線部７１の凸の頂部７１ｔは、圧搾溝７０において縦方向Ｘの最後方に位置する部分である。
【００２０】
圧搾溝対７（圧搾溝７０）の主な作用効果の１つとして、ナプキン１Ａの変形誘導効果が挙げられる。即ち、ナプキン１Ａにおいては、排泄部対向部Ｃよりも後側に位置する後方部Ｒに、横方向Ｙに関して互いに離間した一対の圧搾溝７０，７０からなる圧搾溝対７が形成されているところ、この圧搾溝対７の形成領域は、圧搾溝が形成されていない他の領域（非加圧領域）と比べて剛性が高い。そのため、ナプキン１Ａの着用中における着用者の動作時に、着用者の臀部の動きによるナプキン１Ａにかかる力や、歩行時の足回りからかかる力に対して、圧搾溝７０，７０間に存在する剛性が相対的に低い離間部（非加圧領域）における吸収体４に、縦方向Ｘに沿って肌対向面側へ凸となる変形が発生し易くなり、その凸変形部がクッションとしての役割を発揮して、着用者の臀裂に適切にフィットすることができる。このような、圧搾溝対７による変形誘導効果の結果として生じる、後方部Ｒの肌対向面における凸変形は、ナプキン１Ａと着用者の身体（臀部）との間に隙間が生じることを抑制し、ナプキン１Ａのフィット性及び漏れ防止性を効果的に向上し得る。
【００２１】
このナプキン１Ａの着用時に生じる凸変形部は、圧搾溝７０の内側線分７２の自由端部７２ｆよりも前方側でも生じるが、ナプキン１Ａにおいては前述したように、外側線分７３側の縦方向長さＨが内側線分７２側の縦方向長さｈに比して長くなっていて、内側線分７２の自由端部７２ｆが外側線分７３の自由端部７３ｆよりも縦方向Ｘにおいて後方側に位置しているため、一対の圧搾溝７０，７０間の離間部が位置する横方向Ｙの中央部から横方向Ｙの両外方へ向かってその高さを低く抑えながら拡がり、外側線分７３にまで及ぶ。従って、凸変形部は、着用者の臀部周りに広く密着し、それによって、横方向Ｙの中央部から横方向Ｙの外方に亘る一定の範囲において排泄物が吸収体４に吸収されやすくなると共に、過度の圧力を着用者に与えることが抑制される。つまり、圧搾溝対７による変形誘導効果によって、ナプキン１Ａの横方向Ｙの防漏力が高められると同時に、良好な着用感が得られる。
【００２２】
また、圧搾溝対７による変形誘導効果に起因して、圧搾溝対７には、ナプキン１Ａが通常の適正な装着位置からずれた状態にある場合にその装着ズレを着用者に触覚的に知らせる、装着ズレ指示効果がある。即ち、ナプキン１Ａが適正に装着されている場合に、圧搾溝対７による変形誘導効果により圧搾溝７０，７０間に凸変形が生じると、その凸変形部は着用者の臀裂に収まるため着用者に違和感を与えることはないが、ナプキン１Ａが適正に装着位置からずれた状態にある場合には、該凸変形部は臀裂に収まらずにその周辺部等に当たるため着用者に違和感を与え、その違和感が装着ズレの発生の指標となり得る。このような圧搾溝対７による装着ズレ指示効果は、これを構成する一対の圧搾溝７０，７０間に位置する離間部がナプキン１Ａの横方向Ｙの中央部に位置していると、特に効果的である。
【００２３】
また、圧搾溝対７には、前述したナプキン１Ａの変形誘導効果に起因する防漏性の向上効果に加えて、それ自体の平面視形状に起因する防漏性の向上効果がある。即ち、圧搾溝対７を構成する一対の圧搾溝７０，７０それぞれにおいては、前述したように、外側線分７３側の縦方向長さＨが内側線分７２側の縦方向長さｈに比して長く、外側線分７３の自由端部７３ｆが内側線分７２の自由端部７２ｆよりも縦方向Ｘにおいて前方側に位置しているため、例えば、経血等の体液が後方部Ｒにおいて表面シート２上を横方向Ｙの内方から外方に向かって流れた場合に、その体液は、圧搾溝７０の外側線分７３及び曲線部７１における該外側線分７３寄りの部分によって堰き止められるので、いわゆる横漏れが効果的に防止される。
【００２４】
前述した圧搾溝対７（圧搾溝７０）による作用効果をより確実に奏させるようにする観点から、圧搾溝７０の外側線分７３側の縦方向長さＨと、該圧搾溝７０の内側線分７２側の縦方向長さｈとの間には、Ｈ＞ｈ＞１／２（Ｈ）という関係が成立することが好ましい。ここで「１／２（Ｈ）」は、外側線分７３側の縦方向長さＨの半分の長さを意味する。
【００２５】
圧搾溝７０の内側線分７２の延長線は縦中心線Ａと平行であるか、又は、該延長線と縦中心線Ａとのなす角度α（図１参照）が０°超４５°以下であることが好ましい。ナプキン１Ａにおいては、図１に示すように、圧搾溝７０の内側線分７２の延長線は縦中心線Ａと平行ではなく、縦中心線Ａと角度αを持って交差している。斯かる構成により、前述した一対の圧搾溝７０，７０間の離間部における凸変形がより一層安定的に発生し、その凸変形部が縦中心線Ａに沿って縦長状の膨らみやすくなる。斯かる効果をより一層確実にする観点から、内側線分７２の延長線と縦中心線Ａとのなす角度αは、好ましくは３°以上、さらに好ましくは５°以上、そして、好ましくは３０°以下、さらに好ましくは２５°以下である。
【００２６】
圧搾溝対７は、排泄部対向部Ｃには存在せず、排泄部対向部Ｃよりも後方に位置する後方部Ｒのみに存在することが好ましい。より具体的には圧搾溝対７は、これを構成する一対の圧搾溝７０，７０それぞれの曲線部７１の凸の頂部７１ｔ（圧搾溝７０の縦方向Ｘの最後方部）が、排泄部対向部Ｃと後方部Ｒとの境界（一対のウイング部６，６それぞれの縦方向Ｘの後方側の付け根どうしを結ぶ仮想直線）よりも５〜１０ｃｍ後方側に位置し、且つ外側線分７３の自由端部７３ｆが該境界よりも後方に位置するように、配置されることが好ましい。圧搾溝対７がこのように配置されることにより、圧搾溝対７による変形誘導効果によって形成された凸変形部のクッション性が一層向上し、該凸変形部が着用者の臀裂に一層好ましくフィットするようになる。
【００２７】
圧搾溝対７による作用効果をより確実に奏させるようにする観点から、圧搾溝７０の各部の寸法等は次のように設定することが好ましい。
圧搾溝対７を構成する一方の圧搾溝７０の内側線分７２と他方の圧搾溝７０の内側線分７２との間隔Ｓ１（図１参照）の最小値、即ち、一方の圧搾溝７０の内側線分７２の自由端部７２ｆと他方のそれとの間隔は、好ましくは５〜３０ｍｍ、さらに好ましくは１０〜２０ｍｍである。
圧搾溝対７を構成する一方の圧搾溝７０の外側線分７３と他方の圧搾溝７０の外側線分７３との間隔Ｓ２（図１参照）の最大値、即ち、一方の圧搾溝７０の外側線分７３の自由端部７３ｆと他方のそれとの間隔は、好ましくは３０〜８０ｍｍ、さらに好ましくは４０〜６０ｍｍである。
【００２８】
圧搾溝７０における内側線分７２の自由端部７２ｆと曲線部７１の凸の頂部７１ｔとの間の縦方向長さｈ（図３参照）は、好ましくは２〜２０ｍｍ、さらに好ましくは５〜１５ｍｍである。
圧搾溝７０における外側線分７３の自由端部７３ｆと曲線部７１の凸の頂部７１ｔとの間の縦方向長さＨ（図３参照）は、好ましくは１０〜６０ｍｍ、さらに好ましくは１５〜４５ｍｍである。
縦方向長さＨと縦方向長さｈとの差（Ｈ−ｈ）は、好ましくは１０ｍｍ以上、さらに好ましくは１５〜４０ｍｍである。
【００２９】
ナプキン１Ａにおける各部の形成材料について説明すると、表面シート２、裏面シート３及び吸収体４としては、それぞれ、この種の吸収性物品において従来用いられているものを特に制限なく用いることができる。表面シート２としては、例えば、カード法により製造された不織布、エアスルー不織布、スパンボンド不織布、メルトブローン不織布、スパンレース不織布及びニードルパンチ不織布等の種々の不織布；開口手段によって液透過可能とされたフィルム等が挙げられる。これらの不織布やフィルムには、界面活性剤等の親水化剤を用いた親水化処理が施されていても良い。裏面シート３としては、例えば、熱可塑性フィルムを用いることができ、このフィルムは透湿性を有していていも良い。また裏面シート３として、液難透過性の不織布、例えばスパンボンド−メルトブローン−スパンボンド（ＳＭＳ）不織布を用いることもできる。
【００３０】
吸収体４としては、例えば、木材パルプ、親水化処理された合繊繊維等の繊維集合体、又は該繊維集合体に粒子状の吸水性ポリマーを保持させたもの等を用いることができる。吸収体４は、前記繊維集合体等からなる液保持性の吸収性コアと、該吸収性コアを被覆する液透過性のコアラップシートとを含んで構成されていても良く、このコアラップシートとしては、例えば、透水性の薄紙、各種不織布、開孔フィルム等を用いることができる。また吸収体４としては、ナプキン１Ａの薄型化、低剛性化の観点から、前記繊維集合体（繊維材料を積繊してなる積繊体）ではなく、該繊維集合体に比して厚みが薄く低剛性の吸収性シートを用いることもできる。この吸収性シートとしては、湿潤状態の吸水性ポリマーに生じる粘着力や別に添加した接着剤や接着性繊維等のバインダーを介して、構成繊維間や構成繊維と吸水性ポリマーとの間を結合させてシート状としたもの等を好ましく用いることができる。
【００３１】
図４〜図８には、本発明の吸収性物品の他の実施形態（第２ないし第６実施形態）が示されている。後述する他の実施形態については、前述した第１実施形態のナプキン１Ａと異なる構成部分を主として説明し、同様の構成部分は同一の符号を付して説明を省略する。特に説明しない構成部分は、ナプキン１Ａについての説明が適宜適用される。
【００３２】
図４には第２実施形態のナプキン１Ｂ、図５には第３実施形態のナプキン１Ｃが示されている。ナプキン１Ｂ及び１Ｃは、何れも圧搾溝対７の数において第１実施形態のナプキン１Ａと異なる。ナプキン１Ｂにおいては、二対の圧搾溝対７，７が縦方向Ｘに所定間隔を置いて形成されており、ナプキン１Ｃにおいては、三対の圧搾溝対７，７，７が縦方向Ｘに所定間隔を置いて形成されている。ナプキン１Ｂ，１Ｃに形成されているこれら複数の圧搾溝対７は、互いに配置位置が異なるだけで、それらを構成する圧搾溝７０の形状は互いに同一である。
【００３３】
ナプキン１Ｂ，１Ｃのように、複数の圧搾溝対７，７・・・が縦方向Ｘに所定間隔を置いて形成されている場合、縦方向Ｘに隣接する一方（相対的に前側）の圧搾溝対７の圧搾溝７０と他方（相対的に後側）の圧搾溝対７の圧搾溝７０とが重ならないことが、着用感の向上の観点から好ましい。換言すれば、ナプキン１Ｂ，１Ｃを横方向Ｙに横断する任意の１本の仮想直線（図示せず）に対し、相対的に前側に位置する圧搾溝７０と相対的に後側に位置する圧搾溝７０とが同時に重ならないことが好ましい。
【００３４】
第２実施形態のナプキン１Ｂによれば、第１実施形態のナプキン１Ａと同様の効果が奏される。特にナプキン１Ｂにおいては、二対の圧搾溝対７，７が縦方向Ｘに所定間隔を置いて形成されていることにより、二対それぞれにおける圧搾溝７０，７０間の離間部（非加圧領域）の前述した凸変形が、ナプキン１Ａの如き、圧搾溝対７が一対しかない場合に比して生じやすいため、排泄物を縦方向Ｘに誘導し、吸収体４に吸収させることが一層容易となり、凸変形部がより安定的に着用者の臀部周囲にフィットし得る。
【００３５】
第３実施形態のナプキン１Ｃによれば、第２実施形態のナプキン１Ｂと同様の効果が奏され、特に、三対の圧搾溝対７，７，７が縦方向Ｘに所定間隔を置いて形成されていることにより、前述した凸変形の誘導効果が著しく高められているため、優れた横漏れ防止効果が奏され、凸変形部がより一層安定的に着用者の臀部周囲にフィットし得る。その上、圧搾溝対７（圧搾溝７０）がナプキン１Ｃの縦方向後端付近（ナプキン１Ｃの縦方向後端から好ましくは４０ｍｍ以内）に形成されているため、後方部Ｒの比較的広範囲に亘って横漏れを防止し得る。
【００３６】
図６には第４実施形態のナプキン１Ｄが示されている。ナプキン１Ｄは、圧搾溝の構成、外観において第３実施形態のナプキン１Ｃと異なる。即ち、ナプキン１Ｃにおける圧搾溝７０は、その長さ方向の全長に亘って溝が途切れることなく連続する連続線状であって、その凹陥深さ（表面シート２における凹陥していない肌対向面からの深さ）が該圧搾溝７０の長さ方向の全長に亘って一定となっていたのに対し、ナプキン１Ｄにおける圧搾溝７０’は、そのような連続線状ではなく、複数の凹陥部が不連続に配置されて構成されている。即ち、圧搾溝７０’は、凹陥深さが相対的に深い深凹陥部と、凹陥していないか又は凹陥深さが相対的に浅い非又は浅凹陥部とが交互に配置されて形成されている。圧搾溝７０’において、隣り合う深凹陥部と非又は浅凹陥部との間隔が１．５ｍｍ以下であると、圧搾溝７０’の硬さを適度に微調整することができ、ナプキン１Ｄの着用中に圧搾溝７０’の硬さに起因して着用者が感じる違和感を低減することができる。
【００３７】
図７には第５実施形態のナプキン１Ｅが示されている。ナプキン１Ｅは、圧搾溝の寸法において第２実施形態のナプキン１Ｂと異なる。即ち、ナプキン１Ｅにおいては、縦方向Ｘに隣接する二対の圧搾溝対７，７’のうちの一方と他方とで、圧搾溝における外側線分７３の自由端部７３ｆと凸の頂部７１ｔとの間の縦方向長さＨ（図３参照）、及び／又は、圧搾溝における内側線分７２の自由端部７２ｆと凸の頂部７１ｔとの間の縦方向長さｈ（図３参照）が互いに等しくない。さらに説明すると、ナプキン１Ｅにおいて縦方向Ｘに隣接する二対の圧搾溝対７，７’のうち、縦方向Ｘの後側に位置する圧搾溝対７’の方が、縦方向Ｘの前側に位置する圧搾溝対７に比して、内側線分７２側の縦方向長さｈ及び外側線分７３側の縦方向長さＨがいずれも長い。
【００３８】
ナプキン１Ｅにおいて、縦方向Ｘの後側に位置する圧搾溝対７’における圧搾溝７０”の外側線分７３側の縦方向長さＨ２（図７参照）は、縦方向Ｘの前側に位置する圧搾溝対７における圧搾溝７０の外側線分７３側の縦方向長さＨ１（図７参照）に対して、１．２倍より大きいことが好ましい。また、縦方向Ｘの後側に位置する圧搾溝対７’における圧搾溝７０”の内側線分７２側の縦方向長さｈ２（図７参照）は、縦方向Ｘの前側に位置する圧搾溝対７における圧搾溝７０の内側線分７２側の縦方向長さｈ１（図７参照）に対して、１．２倍より大きいことが好ましい。このように、縦方向Ｘに隣接する２つの圧搾溝７０，７０”の平面視寸法（縦方向長さ）が互いに異なることにより、より具体的には、縦方向Ｘの後側に位置する圧搾溝７０”の方が前側に位置する圧搾溝７０に比して、内側線分７２側の縦方向長さｈ及び外側線分７３側の縦方向長さＨがいずれも長いことにより、特に、後側に位置する圧搾溝対７’における圧搾溝７０”，７０”間の離間部（非加圧領域）がより安定的に凸変形するようになり、フィット性及び漏れ防止性の一層の向上が期待できる。尚、このように、縦方向長さの異なる複数の圧搾溝対７，７’（圧搾溝７０，７０”）を形成した場合は、図４に示すナプキン１Ｂの如き、平面視寸法が等しい複数の圧搾溝対７，７（圧搾溝７０，７０）を形成した場合と比べて、ナプキンの変形誘導効果や漏れ防止性は低下しない。また、ナプキン１Ｅにおいて、縦方向Ｘの後側に位置する圧搾溝７０”の内側線分７２の延長線と縦中心線Ａとのなす角度βは、縦方向Ｘの前側に位置する圧搾溝７０についての前記角度αと同じである。
【００３９】
図８には第６実施形態のナプキン１Ｆが示されている。ナプキン１Ｆは、吸収性本体５、及び吸収性本体５における排泄部対向部Ｃの縦方向Ｘに沿う両側部それぞれから横方向Ｙの外方に延出する一対のウイング部６，６に加えてさらに、吸収性本体５における後方部Ｒの縦方向Ｘに沿う両側部それぞれから横方向Ｙの外方に延出する一対の後方フラップ部８，８を有している。このような、後方フラップ部を有する生理用ナプキンは、就寝時等に長時間使用するのに適しており、夜用の生理用ナプキンとして特に有用である。夜用のナプキンとしては、縦方向Ｘの全長が３０ｃｍ以上のものが好適であり、特に、３５ｃｍ以上のものが好ましい。
【００４０】
吸収性本体５の肌対向面（表面シート２の肌対向面）における縦方向Ｘに沿う両側部には、図８に示すように、平面視において吸収体４の縦方向Ｘに沿う左右両側部に重なるように、一対のサイドシート９，９が吸収性本体５の縦方向Ｘの略全長に亘って配されている。一対のサイドシート９，９は、それぞれ、縦方向Ｘに延びる接合線１０にて吸収性本体５（表面シート２）に接合されている。ナプキン１Ｆにおいては、ウイング部６及び後方フラップ部８は、表面シート２、裏面シート３及びサイドシート９のうちの１種以上から構成されていれば良い。
【００４１】
図８に示すように、後方部Ｒにおける表面シート２側には、図４に示すナプキン１Ｂと同様に、一対の圧搾溝７０，７０からなる圧搾溝対７が二対形成されている。また、排泄部対向部Ｃにおける表面シート２側には、表面シート２及び吸収体４が裏面シート３側に向かって一体的に凹陥してなる平面視環状の圧搾溝１１が形成されている。圧搾溝１１は、排泄部対向部Ｃ内に収まらずに、前方部Ｆ及び後方部Ｒにも延設されており、縦中心線Ａを基準として左右対称に形成されている。圧搾溝１１は、圧搾溝７０と同様の方法により形成することができる。圧搾溝１１が形成されていることにより、吸収体４の平面方向の液拡散がより効果的に抑制されるようになると共に、吸収体４のヨレ（意図しない変形）がより効果的に防止できるようになる。また、圧搾溝１１で囲まれた領域は、周辺部に比して厚みが大きく且つ肌対向面側（表面シート２側）に隆起していても良く、いわゆる中高部であっても良い。第６実施形態の夜用のナプキン１Ｆによっても、圧搾溝対７（圧搾溝７０）については第２実施形態の昼用のナプキン１Ｂと同様の効果が奏される。
【００４２】
以上、本発明をその好ましい実施形態に基づき説明したが、本発明は前記実施形態に制限されない。また本発明の吸収性物品には、生理用ナプキンの他、パンティーライナー（おりものシート）、軽失禁パッド等が含まれる。前述した一の実施形態のみが有する部分は、すべて適宜相互に利用できる。前述した本発明の実施形態に関し、更に以下の付記を開示する。
【符号の説明】
【００４３】
１Ａ，１Ｂ，１Ｃ，１Ｄ，１Ｅ，１Ｆ  生理用ナプキン（吸収性物品）
２  表面シート
３  裏面シート
４  吸収体
５  吸収性本体
６  ウイング部
７，７’  圧搾溝対
７０，７０’，７０”  圧搾溝
７１  圧搾溝の曲線部
７１ｔ  曲線部の凸の頂部
７２  圧搾溝の内側線分
７２ｆ  内側線分の自由端部
７３  圧搾溝の外側線分
７３ｆ  外側線分の自由端部
８  後方フラップ部
９  サイドシート
Ａ  縦中心線
Ｆ  前方部
Ｃ  排泄部対向部
Ｒ  後方部
Ｘ  縦方向
Ｙ  横方向
【図１】
2015167773.tif 000003
【図２】
2015167773.tif 000004
【図３】
2015167773.tif 000005
【図４】
2015167773.tif 000006
【図５】
2015167773.tif 000007
【図６】
2015167773.tif 000008
【図７】
2015167773.tif 000009
【図８】
2015167773.tif 000010